【手続補正書】
【提出日】平成24年1月17日(2012.1.17)
【手続補正１】
【補正対象書類名】明細書
【補正対象項目名】００１５
【補正方法】変更
【補正の内容】
【００１５】
コネクタ位置合わせ部３２０は、中間ピース２０をハウジング１５に堅固に取り付けるのに役立つ２つの突起部３１５を有するが、当業者に明らかであるように、別の態様において、突起部３１５の数、構造および位置は様々であってよい。本発明の別の態様において、コネクタ位置合わせ部３２０は、突起部３１５の代わりに別の及び／又は追加の構造物を有してよく、それに従って、更にまた当業者に明らかであるように、ハウジング１５をそのような別の及び／又は追加の構造物と係合するように変形させて、中間ピース２０をハウジング１５に堅固に取り付けるのに役立ててよい。更に、コネクタ位置合わせ部３２０および中間ピースボディ４１０は概して長方形の断面を有するように示されるが、別の態様において、それらの要素のいずれか又は両方の断面は、正方形、円形または他のいずれの形状であってもよい。
【手続補正２】
【補正対象書類名】明細書
【補正対象項目名】００１９
【補正方法】変更
【補正の内容】
【００１９】
図５Ａ、５Ｂ、５Ｃおよび５Ｄは、回転クランプ２５の例示的態様を示す。回転クランプ２５は、内部面５１０、第１開口部５１２、第２開口部５１６および外部面５２０を有する。この例示的態様において、外部面５２０は、テーパー状の円筒形状を有する概して円形の断面を有し、実質的に滑らかである。別の態様において、外部面５２０は、長方形、正方形、または他の平行四辺形を含む他の任意の断面、例えば星型八角形（または八芒星、ｏｃｔａｇｒａｍ）もしくは星型十角形（または十芒星、ｄｅｃａｇｒａｍ）等の断面を有してよいが、これらに限定されず、また、テーパー状であってよく又はテーパー状でなくてよく、使用者または装着者による回転クランプ２５の物理的係合および回転を改良するために、リブ、ハッチング、溝等の摩擦機能、または他の同様の機能を有してよく、または有しなくてよい。他の別の態様において、回転クランプ２５の外部形状は、ツール、レンチまたは他の種類の回転ツールを受容することができる側面で構成されてよい。外部面５２０は、回転クランプ２５を回転ツールと係合させるのに役立てるために使用し得る開口部５２２を有するが、別の態様において、開口部５２２は除いてよい。
【手続補正３】
【補正対象書類名】明細書
【補正対象項目名】００２３
【補正方法】変更
【補正の内容】
【００２３】
図５Ｂ〜Ｄに更に示すように、ケーブル締め付けランプ５１８が、内部面５１０において第２開口部５１６に隣接して配置される。ケーブル締め付けランプ５１８は、回転クランプ２５と中間ピース２０とを堅固に取り付ける際に、ケーブル保持フィンガー４５０とスライド可能であるように係合されるように配置され、このケーブル締め付けランプ５１８は、回転クランプ２５と中間ピース２０とが取り付けられている際に、回転クランプ２５が中間ピース２０に対して回転すると、中間ピース２０（図４Ａ〜Ｄ）のケーブル保持フィンガー４５０（図４Ａ〜Ｄ）に増加する内側方向の力が加えられるように構成される。
【手続補正４】
【補正対象書類名】明細書
【補正対象項目名】００２４
【補正方法】変更
【補正の内容】
【００２４】
図５Ａ〜５Ｄに示すように、ケーブル締め付けランプ５１８は、薄い端５３１および厚い端５３２を有する概して半径方向くさびの形状を有する。キー５１４は、内部面５１０において半径方向に（または放射状に）配置され、その結果、キー５１４がスロット４４１（図４Ａ、４Ｂ、４Ｄ）に入ってまず溝４３０の中に入る際に、ケーブル保持フィンガー４５０（図４Ａ〜Ｄ）は、ケーブル締め付けランプ５１８の薄い端５３１に沿って隣接しており、且つそれに沿ってスライド可能であるように係合される。その後、回転クランプ２５は、回転クランプ２５を中間ピース２０に対して１方向に回転させることによって、中間ピース２０（図４Ａ〜Ｄ）に更に堅固に取り付けられ、これによりケーブル締め付けランプ５１８がケーブル保持フィンガー４５０の周りで厚い端５３２に向かってスライド可能に回転し、それにより、回転クランプ２５が中間ピース２０に対して堅固に取り付けられた位置に達するまで、増加する内側方向の圧縮力がケーブル保持フィンガー４５０に加えられる。要素が、反対方向の回転によって回転クランプ２５を中間ピース２０に堅固に取り付けるように構成され得ることは、当業者に明らかであるべきである。
【手続補正５】
【補正対象書類名】明細書
【補正対象項目名】００２５
【補正方法】変更
【補正の内容】
【００２５】
ケーブルクランプ１７を形成する回転クランプ２５および中間ピース２０の堅固に取り付けられた最終的な位置を、図２を参照することによって更に説明し得る。図２において理解できるように、回転クランプ２５を中間ピース２０に堅固に取り付けると、ケーブル保持フィンガー４５０がケーブル４０に堅固に接触して張力緩和を提供する。回転クランプ２５および対応するケーブル保持フィンガー４５０の寸法は特定の寸法のケーブル４０に対して選択され、それによって、コンタクト３０に接続されるワイヤ３５に対して張力緩和を提供するのに十分な力をケーブル保持フィンガー４５０がケーブル４０に加えることが確保される。それによって、ケーブルクランプ１７は、妥当な予測し得る操作条件下でケーブル４０に加えられ得る応力の下で、ワイヤ３５が物理的および電気的にコンタクト３０から切れる（または外れる）ことを実質的に防止する。
【手続補正６】
【補正対象書類名】明細書
【補正対象項目名】００２８
【補正方法】変更
【補正の内容】
【００２８】
コネクタ位置合わせ部７２０は２つの突起部７２２（コネクタ位置合わせ部７２０の反対側において突起部は存在するが示されていない）を有するが、別の態様において、突起部７２２の数および位置は様々であってよい。本発明の別の態様において、コネクタ位置合わせ部７２０は、突起部７２２の代わりに別の及び／又は追加の構造物を有してよく、それに従って、更にまた当業者に明らかであるように、ハウジング１５をそのような別の及び／又は追加の構造物と係合するように変形させて、中間ピース６２０をハウジング１５に堅固に取り付けるのに役立ててよい。更に、コネクタ位置合わせ部７２０および中間ピース６２０は概して長方形の断面を有するように示されるが、別の態様において、それらの要素のいずれか又は両方の断面は、正方形、円形または他のいずれの形状であってもよい。
【手続補正７】
【補正対象書類名】明細書
【補正対象項目名】００３８
【補正方法】変更
【補正の内容】
【００３８】
図９Ｂ〜Ｄに更に示すように、ケーブル締め付けランプ９１８は、内部面９１０において第２開口部９１６に隣接して配置される。２対のケーブル締め付けランプ９１８が、第２開口部９１６に隣接して異なる間隔で設けられ、異なる長さのケーブル保持フィンガー６５１（図８Ａ、Ｂ）と接触するように構成される。ケーブル締め付けランプ９１８は、回転クランプ６２５と中間ピース６２０とが堅固に取り付けられている状態で回転クランプ６２５が中間ピース６２０において回転すると、増加する力がケーブル保持要素６２２（図６）のケーブル保持フィンガー６５１（図８Ａ、Ｂ）に加えられるように構成される。
【手続補正８】
【補正対象書類名】明細書
【補正対象項目名】００３９
【補正方法】変更
【補正の内容】
【００３９】
図９Ｂおよび９Ｄに示すように、ケーブル締め付けランプ９１８は、薄い端９３１および厚い端９３２を有する概して半径方向くさびの形状を有する。キー９１４は、内部面９１０において半径方向に（または放射状に）配置され、その結果、キー９１４が最初に溝７４５（図７）に配置されるまでキー９１４をスロット７５１（図７）に入れることによって回転クランプ６２５を最初に中間ピース６２０（図７）に取り付ける場合、ケーブル保持フィンガー６５１（図８Ａ、Ｂ）は薄い端９３１に隣接している。その後、回転クランプ６２５を中間ピース６２０に対して回転させ、これによりケーブル締め付けランプ９１８がケーブル保持フィンガー６５１の周りでスライド可能な係合にて回転し、それにより、図６に示すように回転クランプ６２５が堅固に取り付けられた最終的位置に達するまで、増加する内側方向の圧縮力がケーブル保持フィンガー６５１に加えられる。
【手続補正９】
【補正対象書類名】特許請求の範囲
【補正対象項目名】全文
【補正方法】変更
【補正の内容】
【特許請求の範囲】
【請求項１】
ケーブル内に収容されているワイヤを端末接続するための電気コネクタであって、
コンタクトを含むハウジング、並びに
ハウジングに取り付けられたケーブルクランプであって、
中間ピース、
中間ピースに堅固に取り付けられた回転クランプ、および
回転クランプ内に配置されたケーブル保持フィンガー
を有するケーブルクランプ
を有する電気コネクタであって、回転クランプは、ケーブル保持フィンガーに力を加えるように構成されており、ケーブル保持フィンガーはケーブルに張力緩和を提供し、それによって、公称操作条件下でワイヤが物理的および電気的にコンタクトから外れることが防止される、電気コネクタ。
【請求項２】
ケーブル保持フィンガーが中間ピースの一部として一体に形成されている、請求項１に記載の電気コネクタ。
【請求項３】
２つのケーブル保持フィンガーが中間ピースの一部として一体に形成されている、請求項２に記載の電気コネクタ。
【請求項４】
４つのケーブル保持フィンガーが中間ピースの一部として一体に形成されている、請求項２に記載の電気コネクタ。
【請求項５】
ケーブル保持フィンガーが、中間ピースから独立したケーブル保持要素の一体化された部分である、請求項１に記載の電気コネクタ。
【請求項６】
２つのケーブル保持フィンガーが、中間ピースから独立したケーブル保持要素の一体化された部分である、請求項５に記載の電気コネクタ。
【請求項７】
４つのケーブル保持フィンガーが、中間ピースから独立したケーブル保持要素の一体化された部分である、請求項５に記載の電気コネクタ。
【請求項８】
４つのケーブル保持フィンガーが、２対のケーブル保持フィンガーとして設けられ、前記２対のケーブル保持フィンガーが、前記４つのケーブル保持フィンガーの第１長さを有する第１対と、前記４つのケーブル保持フィンガーの第１長さより短い第２長さを有する第２対とを含む、請求項７に記載の電気コネクタ。
【請求項９】
回転クランプが、回転クランプが中間ピースに取り付けられている状態で、回転クランプが中間ピースにおいて回転すると、増加する力がケーブル保持フィンガーに加えられるように構成されるランプを有する、請求項１に記載の電気コネクタ。
【請求項１０】
ランプが、ケーブル保持クランプ内に配置された、半径方向に形成されたくさびである、請求項９に記載の電気コネクタ。